(57)【要約】【課題】ピッグテイル構造、レセプタクル接続を用いず、アダプタ接続を採用することで、調心精度の問題が発生せず、シングルモード光ファイバに適用できる。【解決手段】光気密アダプタ１は、気密容器２の開口３に取り付けられる気密プレート１０に形成した貫通孔１１に、金属皮膜がコーティングされた光ファイバ２０を挿通してこの金属皮膜部２１を貫通孔１１に気密封止して構成される。気密プレート１０の表裏両側に位置する光ファイバ２０の被覆除去部が挿通され、取付部材４５により気密プレート１０にそれぞれ固定されるフェルール４０を備える。また、フェルール４０の研磨された先端から所定長さを収容可能なスリーブ５１を有し、スリーブ５１にフェルール４０が挿通されて気密プレート１０にそれぞれ固定されるアダプタ部材５０を備える。【選択図】      図２
2004184873.tif 000002
【特許請求の範囲】
【請求項１】
気密容器の開口に取り付けられる気密プレートに形成した貫通孔に、金属皮膜がコーティングされた光ファイバを挿通してこの金属皮膜部を前記貫通孔に気密封止して構成される光気密アダプタにおいて、
前記気密プレートの表裏両側に位置する光ファイバの被覆除去部が挿通され、取付部材により前記気密プレートにそれぞれ固定されるフェルールと、
前記フェルールの研磨された先端から所定長さを収容可能なスリーブを有し、当該スリーブに前記フェルールが挿通されて前記気密プレートにそれぞれ固定されるアダプタ部材と、
を備えていることを特徴とする光気密アダプタ。
【請求項２】
気密容器の開口に取り付けられる気密プレートに形成した貫通孔に、金属皮膜がコーティングされた光ファイバを挿通してこの金属皮膜部を前記貫通孔に気密封止して構成される光気密アダプタにおいて、
前記光ファイバが挿通されて前記金属皮膜部との間が気密封止され、かつ、前記貫通孔に挿通されて当該貫通孔との間が気密封止される金属キャピラリと、
前記気密プレートの表裏両側に位置する光ファイバの被覆除去部が挿通され、取付部材により前記気密プレートにそれぞれ固定されるフェルールと、
前記フェルールの研磨された先端から所定長さを収容可能なスリーブを有し、当該スリーブに前記フェルールが挿通されて前記気密プレートにそれぞれ固定されるアダプタ部材と、
を備えていることを特徴とする光気密アダプタ。
【請求項３】
前記気密プレートの貫通孔には、当該貫通孔と前記光ファイバの金属皮膜部または前記金属キャピラリとの気密封止を確実にするため、所要の金属皮膜がコーティングされることを特徴とする請求項１または請求項２記載の光気密アダプタ。
【請求項４】
前記気密プレートには、前記貫通孔が所要数形成され、
すべての前記貫通孔に、前記光ファイバの金属皮膜部または前記金属キャピラリが気密封止されるとともに、前記フェルールおよび前記アダプタ部材がそれぞれ固定されることを特徴とする請求項１または請求項２記載の光気密アダプタ。
【請求項５】
前記アダプタ部材にコネクタを接続することで、当該コネクタの先端から突出したフェルールが当該アダプタ部材のスリーブに差し込まれて、当該フェルール先端の光ファイバと、当該スリーブに収容されているフェルール先端の光ファイバとが光接続されることを特徴とする請求項１または請求項２記載の光気密アダプタ。
【請求項６】
気密容器の開口に取り付けられる気密プレートに形成した貫通孔に、光ファイバを挿通し気密封止して構成する光気密アダプタの製造方法において；
前記光ファイバの中間部の被覆を所定長さ除去して、この被覆除去部に金属皮膜をコーティングし；
前記光ファイバを前記気密プレートの貫通孔に挿通して、当該光ファイバの前記金属皮膜部と当該貫通孔とをはんだで気密に固定し；
前記貫通孔から前記気密プレートの表裏両側に延びた前記光ファイバの被覆をそれぞれ除去して、これらの被覆除去部をフェルールにそれぞれ挿通したうえ、取付部材を用いて各フェルールを前記気密プレートにそれぞれ取り付け固定し；
前記光ファイバの被覆除去部とフェルールとの固着後、各フェルールの先端を研磨し；
前記フェルールを収容可能なスリーブを有する各アダプタ部材のスリーブに当該各フェルールの先端から所定長さをそれぞれ挿通したうえ、各アダプタ部材を前記気密プレートにそれぞれ取り付け固定する；
ことを特徴とする光気密アダプタの製造方法。
【請求項７】
前記光ファイバの金属皮膜部のコーティング材料には、前記気密プレートの貫通孔との固定に用いる前記はんだに適合する金属を用いるとともに、当該貫通孔の内面には、当該はんだに適合する金属をあらかじめコーティングすることを特徴とする請求項６記載の光気密アダプタの製造方法。
【請求項８】
気密容器の開口に取り付けられる気密プレートに形成した貫通孔に、光ファイバを挿通し気密封止して構成する光気密アダプタの製造方法において；
前記光ファイバの中間部の被覆を所定長さ除去して、この被覆除去部に金属皮膜をコーティングし；
前記光ファイバを金属キャピラリに挿通して、前記金属皮膜部と当該金属キャピラリとをはんだで気密に固定し；
得られた金属キャピラリ付き光ファイバを前記気密プレートの貫通孔に挿通して、当該金属キャピラリと当該貫通孔とを前記はんだより低融点のはんだで気密に固定し；
前記貫通孔から前記気密プレートの表裏両側に延びた前記光ファイバの被覆をそれぞれ除去して、これらの被覆除去部をフェルールにそれぞれ挿通したうえ、取付部材を用いて各フェルールを前記気密プレートにそれぞれ取り付け固定し；
前記光ファイバの被覆除去部とフェルールとの固着後、各フェルールの先端を研磨し；
前記フェルールを収容可能なスリーブを有する各アダプタ部材のスリーブに当該各フェルールの先端から所定長さをそれぞれ挿通したうえ、各アダプタ部材を前記気密プレートにそれぞれ取り付け固定する；
ことを特徴とする光気密アダプタの製造方法。
【請求項９】
前記光ファイバの金属皮膜部のコーティング材料には、前記金属キャピラリとの固定に用いる前記はんだに適合する金属を用いるとともに、当該金属キャピラリには、当該はんだに適合する金属をあらかじめコーティングし；
前記気密プレートの貫通孔の内面には、前記金属キャピラリとの固定に用いる前記低融点のはんだに適合する金属をあらかじめコーティングすることを特徴とする請求項８記載の光気密アダプタの製造方法。
【発明の詳細な説明】
【０００１】
【発明の属する技術分野】
この発明は、真空系内または加圧系内の各種計測制御や物性測定の際に用いられる光気密アダプタに関するものである。
【０００２】
【従来の技術】
一般に、真空容器内部または加圧容器内部の計測制御や物性測定を各種のセンサによって行うには、容器内部に設置したセンサで計測したアナログ信号をデジタル信号に変換したり周波数変調してから、光ファイバを介して容器外部へ伝送することが必要である。光ファイバは、計測値などを正確に伝送でき、また、細くて防爆性を有するうえに各種環境における耐久性の点でも優れているため、この種の用途に好適なものである。そして、光ファイバで真空容器または加圧容器の内部から外部へ信号を伝送するには、環境を損なわないように光気密アダプタを介して行うことが必要である。
【０００３】
この種の光気密アダプタとして、もともとは、容器壁に密封取り付けするフランジの中央に石英ガラス板を固着し、このガラス板の両側に光ファイバ心線の先端部を同軸状に対向して取り付け、各光ファイバ心線の先端に球レンズまたは集束性ロッドレンズを設置して、一方の球レンズまたは集束性ロッドレンズでマルチモード光ファイバから出る光を一旦拡散させ、この光が石英ガラス板を通過した後に、他方の球レンズまたは集束性ロッドレンズで光を集束させて光ファイバに結合させることが行われていた。
【０００４】
しかし、このような光気密アダプタは、複数のレンズおよびガラス板に加えて、密封取り付けするための複数のＯリングを組み合わせることで構成されているので、構造が複雑であるばかりでなく、反射面を多数有しているため反射損失を免れることができないという問題があった。
【０００５】
そこで、このような構造による反射損失を回避するために、反射面を有しない構造の光気密アダプタが考えられ、例えば特許文献１、２に示されているようなものがある。
【０００６】
【特許文献１】
特開平８−２１１２３２号公報
【０００７】
【特許文献２】
特開平８−２２０３４７号公報
【０００８】
【発明が解決しようとする課題】
しかしながら、特許文献１に示されているものは、光ファイバの中間部に金属コートを施してこの部分でフランジ内外の気密をとり、両側に光ファイバをピッグテイル状に延ばしたものであり、この方式は、シングルモード光ファイバに適用可能であるが、ピッグテイル部分の光ファイバに損傷が生じると使用不能になるという問題がある。
【０００９】
また、特許文献２に示されているものは、光ファイバ心線をフランジの貫通孔に挿入して固着した後その両端面を平滑に研磨し、光軸を合わせながらレセプタクルを取り付けた後、このレセプタクルを介して外側の光ファイバをコネクタに接続するものである。この方式は、光ファイバの損傷もなく取り扱いが容易であるが、レセプタクルを用いてコネクタに接続するものであるため、光ファイバ心線の光軸を合わせながらレセプタクルを取り付ける際の調心精度に難点があり、シングルモード光ファイバには利用できないという問題がある。
【００１０】
この発明の課題は、上記従来のもののもつ問題点を排除して、光ファイバに損傷の虞のあるピッグテイル構造を用いず、また、レセプタクル接続を用いずアダプタ接続を採用することで、調心精度の問題が発生しなくてシングルモード光ファイバに適用することのできる汎用性のある光気密アダプタを提供することにある。
【００１１】
【課題を解決するための手段】
この発明は上記課題を解決するものであり、請求項１に係る発明は、気密容器の開口に取り付けられる気密プレートに形成した貫通孔に、金属皮膜がコーティングされた光ファイバを挿通してこの金属皮膜部を前記貫通孔に気密封止して構成される光気密アダプタにおいて、前記気密プレートの表裏両側に位置する光ファイバの被覆除去部が挿通され、取付部材により前記気密プレートにそれぞれ固定されるフェルールと、前記フェルールの研磨された先端から所定長さを収容可能なスリーブを有し、当該スリーブに前記フェルールが挿通されて前記気密プレートにそれぞれ固定されるアダプタ部材とを備えている光気密アダプタである。
【００１２】
請求項２に係る発明は、気密容器の開口に取り付けられる気密プレートに形成した貫通孔に、金属皮膜がコーティングされた光ファイバを挿通してこの金属皮膜部を前記貫通孔に気密封止して構成される光気密アダプタにおいて、前記光ファイバが挿通されて前記金属皮膜部との間が気密封止され、かつ、前記貫通孔に挿通されて当該貫通孔との間が気密封止される金属キャピラリと、前記気密プレートの表裏両側に位置する光ファイバの被覆除去部が挿通され、取付部材により前記気密プレートにそれぞれ固定されるフェルールと、前記フェルールの研磨された先端から所定長さを収容可能なスリーブを有し、当該スリーブに前記フェルールが挿通されて前記気密プレートにそれぞれ固定されるアダプタ部材とを備えている光気密アダプタである。
【００１３】
請求項３に係る発明は、請求項１または請求項２記載の発明において、前記気密プレートの貫通孔には、当該貫通孔と前記光ファイバの金属皮膜部または前記金属キャピラリとの気密封止を確実にするため、所要の金属皮膜がコーティングされる光気密アダプタである。
【００１４】
請求項４に係る発明は、請求項１または請求項２記載の発明において、前記気密プレートには、前記貫通孔が所要数形成され、すべての前記貫通孔に、前記光ファイバの金属皮膜部または前記金属キャピラリが気密封止されるとともに、前記フェルールおよび前記アダプタ部材がそれぞれ固定される光気密アダプタである。
【００１５】
請求項５に係る発明は、請求項１または請求項２記載の発明において、前記アダプタ部材にコネクタを接続することで、当該コネクタの先端から突出したフェルールが当該アダプタ部材のスリーブに差し込まれて、当該フェルール先端の光ファイバと、当該スリーブに収容されているフェルール先端の光ファイバとが光接続される光気密アダプタである。
【００１６】
請求項６に係る発明は、気密容器の開口に取り付けられる気密プレートに形成した貫通孔に、光ファイバを挿通し気密封止して構成する光気密アダプタの製造方法において；前記光ファイバの中間部の被覆を所定長さ除去して、この被覆除去部に金属皮膜をコーティングし；前記光ファイバを前記気密プレートの貫通孔に挿通して、当該光ファイバの前記金属皮膜部と当該貫通孔とをはんだで気密に固定し；前記貫通孔から前記気密プレートの表裏両側に延びた前記光ファイバの被覆をそれぞれ除去して、これらの被覆除去部をフェルールにそれぞれ挿通したうえ、取付部材を用いて各フェルールを前記気密プレートにそれぞれ取り付け固定し；前記光ファイバの被覆除去部とフェルールとの固着後、各フェルールの先端を研磨し；前記フェルールを収容可能なスリーブを有する各アダプタ部材のスリーブに当該各フェルールの先端から所定長さをそれぞれ挿通したうえ、各アダプタ部材を前記気密プレートにそれぞれ取り付け固定する；光気密アダプタの製造方法である。
【００１７】
請求項７に係る発明は、請求項６記載の発明において、前記光ファイバの金属皮膜部のコーティング材料には、前記気密プレートの貫通孔との固定に用いる前記はんだに適合する金属を用いるとともに、当該貫通孔の内面には、当該はんだに適合する金属をあらかじめコーティングする光気密アダプタの製造方法である。
【００１８】
請求項８に係る発明は、気密容器の開口に取り付けられる気密プレートに形成した貫通孔に、光ファイバを挿通し気密封止して構成する光気密アダプタの製造方法において；前記光ファイバの中間部の被覆を所定長さ除去して、この被覆除去部に金属皮膜をコーティングし；前記光ファイバを金属キャピラリに挿通して、前記金属皮膜部と当該金属キャピラリとをはんだで気密に固定し；得られた金属キャピラリ付き光ファイバを前記気密プレートの貫通孔に挿通して、当該金属キャピラリと当該貫通孔とを前記はんだより低融点のはんだで気密に固定し；前記貫通孔から前記気密プレートの表裏両側に延びた前記光ファイバの被覆をそれぞれ除去して、これらの被覆除去部をフェルールにそれぞれ挿通したうえ、取付部材を用いて各フェルールを前記気密プレートにそれぞれ取り付け固定し；前記光ファイバの被覆除去部とフェルールとの固着後、各フェルールの先端を研磨し；前記フェルールを収容可能なスリーブを有する各アダプタ部材のスリーブに当該各フェルールの先端から所定長さをそれぞれ挿通したうえ、各アダプタ部材を前記気密プレートにそれぞれ取り付け固定する；光気密アダプタの製造方法である。
【００１９】
請求項９に係る発明は、請求項８記載の発明において、前記光ファイバの金属皮膜部のコーティング材料には、前記金属キャピラリとの固定に用いる前記はんだに適合する金属を用いるとともに、当該金属キャピラリには、当該はんだに適合する金属をあらかじめコーティングし；前記気密プレートの貫通孔の内面には、前記金属キャピラリとの固定に用いる前記低融点のはんだに適合する金属をあらかじめコーティングする光気密アダプタの製造方法である。
【００２０】
【発明の実施の形態】
この発明の実施の形態を、図面を参照して説明する。
図１は、この発明による光気密アダプタの一実施の形態を示す要部の平面図、図２はその縦断面図であり、この光気密アダプタ１は、真空系を構成する真空容器または加圧系を構成する加圧容器からなる気密容器２（壁の一部のみ図示）の開口３に、Ｏリング４を用いて気密に取り付けられる気密プレート１０を備え、この気密プレート１０に形成した貫通孔１１に、中間部の被覆が所定長さ除去された被覆除去部に金属皮膜がコーティングされた光ファイバ２０を挿通して、この金属皮膜部２１を貫通孔１１に気密封止して構成されるものである。
【００２１】
光ファイバ２０はシングルモード光ファイバであり、光ファイバ２０の金属皮膜部２１は、それ自体が適宜のはんだにより気密プレート１０の貫通孔１１に直接気密封止されるか、または、金属キャピラリ３０に挿通されてこの金属キャピラリ３０を介して適宜のはんだにより貫通孔１１に気密封止されるものである。
【００２２】
すなわち、光ファイバ２０を直接気密封止する場合は、光ファイバ２０の金属皮膜部２１と、気密プレート１０の貫通孔１１の内面とが、適宜のはんだ（例えば金錫はんだ、または、銀錫はんだ）を用いて気密封止されつつ固定される。このとき、貫通孔１１の内面がはんだ固定に適していない金属表面である場合は、気密プレート１０の貫通孔１１の内面に適宜の金属皮膜（例えば金）をあらかじめコーティングしておくとともに、光ファイバ２０の金属皮膜部２１の例えば最外側を金コーティングしておくことで、両コーティング層どうしを確実にはんだ（例えば金錫はんだ、または、銀錫はんだ）で固定することができる。
【００２３】
また、金属キャピラリ３０を介して光ファイバ２０を気密封止する場合は、光ファイバ２０の金属皮膜部２１と、金属キャピラリ３０の内面とが、適宜のはんだ（例えば金錫はんだ）を用いて気密封止されつつ固定されたのち、気密プレート１０の貫通孔１１に挿通されて、金属キャピラリ３０の外面と、貫通孔１１の内面とが、前記のはんだ（例えば金錫はんだ）より低融点の適宜のはんだ（例えば銀錫はんだ）を用いて気密封止されつつ固定される。このとき、金属キャピラリ３０の内外表面または貫通孔１１の内面がはんだ固定に適していない金属表面である場合は、金属キャピラリ３０の内外表面または気密プレート１０の貫通孔１１の内面に適宜の金属皮膜（例えば金）をあらかじめコーティングしておくとともに、光ファイバ２０の金属皮膜部２１の例えば最外側を金コーティングしておくことで、金属皮膜部２１と金属キャピラリ３０内面の両コーティング層どうしを確実にはんだ（例えば金錫はんだ）で固定することができ、また、金属キャピラリ３０外面と貫通孔１１の両コーティング層どうしを確実にはんだ（例えば銀錫はんだ）で固定することができる。
【００２４】
貫通孔１１から気密プレート１０の表裏両側に延びた部分の光ファイバ２０は被覆が除去されて、取付部材４５に圧入されたフェルール４０の接着剤を注入した孔に挿通され、このフェルール４０が取付部材４５によって気密プレート１０に固定される。そして、接着剤が硬化して光ファイバ２０が固着したフェルール４０の先端は研磨されて、アダプタ部材５０のスリーブ５１に先端から所定長さが収容され、このアダプタ部材５０が気密プレート１０に固定される。アダプタ部材５０には、図示しないコネクタが接続可能に構成され、アダプタ部材５０にコネクタを接続すると、コネクタの先端から突出したフェルールがアダプタ部材５０のスリーブ５１に差し込まれて、このフェルール先端の光ファイバと、スリーブ５１に収容されているフェルール４０先端の光ファイバ２０とが光接続されるようになっている。
【００２５】
この光気密アダプタ１は、上記のように構成されているため、気密プレート１０の貫通孔１１に気密封止された光ファイバ２０の両端にフェルール４０が固着され、しかも、このフェルール４０が気密プレート１０に簡単に取り付け固定される。また、フェルール４０の先端から所定長さが収容されるスリーブ５１を有するアダプタ部材５０が、気密プレート１０に簡単に取り付け固定される。これにより、アダプタ部材５０にコネクタを接続して、アダプタ部材５０のフェルール４０先端光ファイバ２０と、コネクタのフェルール先端光ファイバとを光接続する際、アダプタ部材５０のフェルール４０がスリーブ５１内で安定して作用するため、光ファイバ２０に過剰な負荷のかかることが未然にかつ確実に防止されることとなる。
【００２６】
次に、この光気密アダプタ１の製造方法について説明する。
まず、図３に示すように、光ファイバ２０の中間部の被覆を所定長さ除去して、この被覆除去部に金属皮膜をコーティングして金属皮膜部２１を形成する。この金属皮膜部２１の形成方法は、光ファイバ２０の被覆除去部に、例えば、無電解メッキ法によって下地金属を薄くコートしたのち、電気メッキ法によって、所要の厚さの金属皮膜をコートすることで実現される。金属皮膜部２１の最外側には、例えば金をコーティングすることが好ましい。
【００２７】
つぎに、この光ファイバ２０を図４に示す金属キャピラリ３０に挿通して、図５に示すように、金属皮膜部２１と金属キャピラリ３０とをはんだで気密に固定する。金属キャピラリ３０の表面にはあらかじめ、例えば金をコーティングすることが好ましい。そして、光ファイバ２０の金属皮膜部２１の好ましくは金のコーティング層と、金属キャピラリ３０の好ましくは金のコーティング層とを、例えば、金錫はんだを用いて気密封止しつつ固定する。
【００２８】
得られた金属キャピラリ３０付き光ファイバ２０を、図６に示すように、気密プレート１０の貫通孔１１に挿通して、金属キャピラリ３０と貫通孔１１とをはんだで気密に固定する。貫通孔１１の内面にはあらかじめ、例えば金をコーティングすることが好ましい。そして、金属キャピラリ３０の好ましくは金のコーティング層と、貫通孔１１内面の好ましくは金のコーティング層とを、例えば、先に用いた金錫はんだより低融点の例えば銀錫はんだを用いて気密封止しつつ固定する。
【００２９】
つぎに、貫通孔１１から気密プレート１０の表裏両側に延びた光ファイバ２０の被覆をそれぞれ除去する。一方、図７に示すように、フェルール４０を取付部材４５に圧入し、フェルール４０の孔に接着剤を注入する。そして、図８に示すように、光ファイバ２０の被覆除去部をフェルール４０にそれぞれ挿通したうえ、取付部材４５を用いて各フェルール４０を気密プレート１０にそれぞれ取り付け固定する。
【００３０】
フェルール４０の接着剤を硬化させることで光ファイバ２０の被覆除去部とフェルール４０とを固着させ、フェルール４０の先端から出ている余分の光ファイバ２０を折って、各フェルール４０の先端を研磨する。
【００３１】
つぎに、図９に示すように、フェルール４０を収容可能なスリーブ５１をハウジング５２に組み込んでスリーブホルダ５３で固定することで組み立てた各アダプタ部材５０のスリーブ５１に、図１０に示すように、各フェルール４０の先端から所定長さをそれぞれ挿通したうえ、各アダプタ部材５０を気密プレート１０にそれぞれ取り付け固定する。
これにより、光気密アダプタ１が製造されることとなる。
【００３２】
＜実施例＞
１．３ｍｍ用シングルモード光ファイバ（被覆外径２５０μｍ）２０の中間部約８ｍｍの被覆を除去後、その被覆除去部の両側それぞれ２ｍｍずつの被覆部を含めて、無電解メッキ法によって下地金属としてニッケル（Ｎｉ）を薄く（約１μｍ）コーティングしたのち、電気メッキ法によって、ニッケル（Ｎｉ）を約５μｍコーティングし、さらに最外側に金（Ａｕ）を約１μｍコーティングすることで、金属皮膜部２１を形成する。
【００３３】
あらかじめ金（Ａｕ）をコーティングした内径３００μｍ、外径１ｍｍの金属キャピラリ３０に光ファイバ２０を挿入し、金属皮膜部２１と金属キャピラリ３０とを金錫（Ａｕ／Ｓｎ）はんだで固定する。
【００３４】
得られた金属キャピラリ３０付き光ファイバ２０を、１．１ｍｍ径の内面に金（Ａｕ）をコーティングした貫通孔１１を有する気密プレート１０に挿入したのち、気密プレート１０を加熱し、銀錫（Ａｇ／Ｓｎ）はんだを用いて金属キャピラリ３０と貫通孔１１とを固定する。
【００３５】
気密プレート１０の表裏に出ている光ファイバの被覆部を３〜４ｍｍずつ残して残部の被覆を除去する。
【００３６】
取付部材４５にフェルール４０を圧入固定したのち、フェルール４０の孔内に接着剤を注入して光ファイバ２０の被覆除去部を挿通し、取付部材４５を気密プレート１０にねじで固定する。
【００３７】
接着剤を加熱硬化させたのち、フェルール４０先端から延びた余分の光ファイバ２０を除去し、フェルール４０の先端面を研磨する。
【００３８】
アダプタ部材５０のハウジング５２にスリーブ５１を組み込んでスリーブホルダ５３で固定し、このようにして組み立てたアダプタ部材５０のスリーブ５１にフェルール４０を差し込み、アダプタ部材５０を気密プレート１０にねじで固定して光気密アダプタ１が完成する。
【００３９】
上記のようにして製作した光気密アダプタ１について気密性を評価した結果、１．０×１０−１０Ｐａ・ｍ３／ｓｅｃが得られた。また、伝送損失については両端それぞれにコネクタ付き光ファイバを装着して測定した結果、光気密アダプタ部の損失は０．５ｄＢであった。この損失は、光気密アダプタ部と接続されているコネクタ部分（２箇所）の損失であり、光気密アダプタ内のファイバには損失が認められていない。
【００４０】
なお、上記の実施の形態では、気密プレート１０に貫通孔１１を２箇所形成してそれぞれに光ファイバ２０を気密封止したが、これに限定するものでなく、例えば、貫通孔１１を１箇所だけ形成してこの貫通孔１１だけに光ファイバ２０を気密封止してもよいし、また、貫通孔１１を３箇所以上形成してそれぞれに光ファイバ２０を気密封止することも可能である。
【００４１】
また、各部の金属皮膜の材料およびはんだの材料は、必要に応じて選択することが可能である。
【００４２】
【発明の効果】
この発明は以上のように、気密容器の開口に取り付けられる気密プレートに形成した貫通孔に、金属皮膜がコーティングされた光ファイバを挿通してこの金属皮膜部を前記貫通孔に気密封止して構成される光気密アダプタにおいて、前記気密プレートの表裏両側に位置する光ファイバの被覆除去部が挿通され、取付部材により前記気密プレートにそれぞれ固定されるフェルールと、前記フェルールの研磨された先端から所定長さを収容可能なスリーブを有し、当該スリーブに前記フェルールが挿通されて前記気密プレートにそれぞれ固定されるアダプタ部材とを備えた構成としたので、ピッグテイル構造を用いないため光ファイバに損傷の虞がなく、また、レセプタクル接続を用いずアダプタ接続を採用することで、調心精度の問題が発生せず、シングルモード光ファイバに適用することができる効果がある。
【図面の簡単な説明】
【図１】この発明による光気密アダプタの一実施の形態を示す要部の平面図である。
【図２】図１の光気密アダプタの縦断面図である。
【図３】光ファイバの金属皮膜部を示す説明図である。
【図４】金属キャピラリを示す断面図である。
【図５】光ファイバを金属キャピラリに挿通して気密封止した状態を示す断面図である。
【図６】金属キャピラリ付き光ファイバを気密プレートの貫通孔に挿通して気密封止した状態を示す断面図である。
【図７】フェルールを取付部材に圧入した断面図である。
【図８】光ファイバを挿通したフェルールを気密プレートに取り付けた断面図である。
【図９】アダプタ部材を示す断面図である。
【図１０】気密プレートに光ファイバ、フェルールおよびアダプタ部材を固定した状態を示す断面図である。
【符号の説明】
１  光気密アダプタ
２  気密容器
３  開口
４  Ｏリング
１０  気密プレート
１１  貫通孔
２０  光ファイバ
２１  金属皮膜部
３０  金属キャピラリ
４０  フェルール
４５  取付部材
５０  アダプタ部材
５１  スリーブ
５２  ハウジング
５３  スリーブホルダ
【図１】
2004184873.tif 000003
【図２】
2004184873.tif 000004
【図３】
2004184873.tif 000005
【図４】
2004184873.tif 000006
【図５】
2004184873.tif 000007
【図６】
2004184873.tif 000008
【図７】
2004184873.tif 000009
【図８】
2004184873.tif 000010
【図９】
2004184873.tif 000011
【図１０】
2004184873.tif 000012